(57)【要約】【課題】光源の大型化や数量増加を抑えて、消費電力や設置スペースに配慮しつつ、意図通りの照明効率（照明の均一化、照度向上等）を実現することのできるリールユニットセットを提供すること。【解決手段】リールユニットセット１１は、リール部材４６と、モータ４５と、リール保持部材４７と、モータ保持ブラケット４１，４１ａと、照明ユニット４８と、を有するリールユニット１９を複数備え、照明ユニット４８は、リフレクタ４９と、光拡散部５０ａが形成されたレンズ５０と、主照明基板５１ｂを有する主照明部材５１及び副照明基板５２ｂを有する副照明部材５２と、遮蔽部材５４とを有し、リールユニット１９におけるリール部材４６を照明するための副照明部材５２が、隣接する他のリールユニット１８における遮蔽部材５４に取り付けられている。【選択図】図１６
2012090696.tif 000002
【特許請求の範囲】
【請求項１】
周面に装飾図柄が配置されて透光性を有するリール部材と、
該リール部材を回転及び停止させるモータと、
該モータのモータ軸に固定されて前記リール部材を保持するリール保持部材と、
該モータを保持するために該モータに固定されるモータ保持ブラケットと、
前記リール部材を照明光により照明するための照明ユニットと、を有するリールユニットを、前記リール部材の回転軸を同軸にして該回転軸方向に複数備えたリールユニットセットであって、
前記照明ユニットは、
区画壁で仕切られて一部が開口された複数の区画室を有して前記照明光を該区画室内で反射及び／又は拡散することにより、該照明光を前記開口を介して前記リール部材に向けて導くリフレクタと、
透光性を有して前記開口と前記リール部材との間に配置され、かつ前記開口側の面に光拡散部が形成されて、前記開口からの前記照明光を拡散させつつ前記リール部材へと導くレンズと、
前記リフレクタの各区画室内に前記照明光を入射する主照明部材及び副照明部材と、
該主照明部材の正面からの視認を不可能又は困難とするために該主照明部材の前方を覆う遮蔽部材と、
を有し、
前記主照明部材は、各区画室内に向けて前記照明光を発光する複数の主発光素子とその複数の主発光素子を表面に実装する主照明基板とを有し、
前記副照明部材は、各区画室内に向けて前記照明光を発光する複数の副発光素子とその複数の副発光素子を表面に実装する副照明基板とを有し、
一のリールユニットにおけるリール部材を照明するための主照明基板が該一のリールユニットにおけるリフレクタに取り付けられると共に、該一のリールユニットにおけるリール部材を照明するための副照明部材が該一のリールユニットに隣接する他のリールユニットにおける遮蔽部材に取り付けられる、リールユニットセット。
【請求項２】
前記主発光素子と前記副発光素子とは、実質的に前記回転軸方向に沿って互いに逆方向から前記リフレクタの区画室内に向けて前記照明光を発光し、かつ、前記区画室内において前記レンズと対向する背面は、前記主照明部材側に向けて傾斜しており、
前記レンズは、前記主発光素子と前記区画室との間に側壁部を有すると共に前記副発光素子と該区画室との間に側壁部を有することなく側方開口を形成し、かつ、
前記側壁部が、前記主発光素子からの照明光を透過させる機能と前記副発光素子からの照明光を反射する機能とを有する、請求項１に記載のリールユニットセット。
【請求項３】
前記リフレクタと前記レンズと前記主照明基板との取付け状態において、
前記リフレクタは前記レンズとも前記主照明基板とも直接接触しており、
前記レンズと前記リフレクタとの接触を維持しつつ前記リフレクタと前記主照明基板とで前記レンズを挟持した状態で前記リフレクタに対して前記主照明基板が固定されており、かつ、
前記リフレクタが、
前記リール保持部材の回転を検出する回転センサを取り付けるための回転センサ取付部を有すると共に前記モータ保持ブラケットに取り付けられている、請求項１又は請求項２に記載のリールユニットセット。
【発明の詳細な説明】
【技術分野】
【０００１】
本発明は、リールユニットセットに係り、特にパチンコ機やパチスロ機において図柄変動（図柄回転）による遊技を提供するリールユニットセットに関する。
【背景技術】
【０００２】
パチンコ機においては、弾球された遊技球が遊技領域（遊技盤面上又はその近傍に形成された領域であって、遊技球の流下による遊技や演出を実現するための領域。）を流下して、その流下の過程で遊技球が遊技領域内の遊技釘や風車に衝突しつつ転回して流下方向が変化する。その結果、遊技領域上に配置された各種入賞口に遊技球が入賞すれば所定の賞球の払出しがされ、一方いずれの入賞口にも入賞せずアウト口に遊技球が流入すれば賞球の払出しはされない。遊技者は、弾球における自らの技量を発揮して、又は遊技球の流下における偶然性を利用しつつ遊技球の入賞及び賞球の払出しを期待し、遊技を楽しむのである。
【０００３】
近年、パチンコ機の遊技領域内には、図柄変動装置が配置されている。この図柄変動装置は、例えば、複数列の図柄配列を遊技者に提示可能に構成されており、遊技者に「当たり」や「外れ」の遊技演出を提供して興趣増大に貢献している。図柄は、例えば数字、文字、記号、キャラクター等で構成され、変動表示が可能になっている。そして、例えば、変動後に停止したときの図柄配列が所定の図柄配列（例えば「７・７・７」等）になれば、大当たりとなって遊技者に利益を付与する。
【０００４】
このようなパチンコ機の中で、例えば、図柄変動装置として複数列に配置したリールを用いたものも提案されている（例えば、特許文献１〜３を参照。）このリールを用いたパチンコ機においては、リールの周面に複数の図柄が形成され、その周面の一部が遊技者に提示されるようになって遊技者から図柄が視認可能とされている。そして、提示された図柄が所定の当たりを構成する図柄配列になった場合には遊技者に利益を付与し、外れを構成する図柄配列になった場合には遊技者に利益を付与しない（又は、不利益を付与する）ようになっている。
【０００５】
リールを用いた遊技機としてパチンコ機やパチスロ機（回胴機）があるが、リールの周面に形成された図柄（装飾図柄）の視認性を良好とするため、又は美感を向上させるために、装飾図柄は照明ユニット等によって照明される場合がある。例えば、特許文献１には、背面側から正面側に向けて（つまり、遊技者に向けて）装飾図柄を照明するために、リールの一側方にＬＥＤ１０６ａ〜１０６ｃを配置して、装飾図柄を照明する構成が開示されている（例えば、図６）。また、特許文献２には、リールの一側方に配置されたＬＥＤ２５からの照明光を反射板２４によって反射することにより、装飾図柄を背面側から照明する構成が開示されている（例えば、図４）。特許文献３には、リールの両側に配置されたＬＥＤ４２によって装飾図柄を背面側から照明する構成が開示されている。
【先行技術文献】
【特許文献】
【０００６】
【特許文献１】特開２００９−２７３９３５号公報
【特許文献２】特開２００６−０９４９８９号公報
【特許文献３】特開２０００−１４０２０２号公報
【発明の概要】
【発明が解決しようとする課題】
【０００７】
しかしながら、従来のものでは、装飾図柄に対する照明効率の高い照明を実現するのは困難であった。照明効率の高い照明とは、つまり、設計上の意図通りの照明を意味し、全体的な均一照明や部分的な高照度照明を含む。すなわち、例えば、装飾図柄を均一な照明光で照明しようとしても、なかなか全体の照度が均一とならず、万遍なく照明することが難しかった。一方で、装飾図柄の一部を目立たせるべく、特に高照度で照明しようとしても、意図通りの位置を意図通りに高い照度で照明することがなかなかできなかった。
【０００８】
照明光源の光量を上げれば装飾図柄の照度が向上するが、光源の電流アップ、光源の大型化、光源数の増加は、いずれも消費電力を上昇させてしまうという問題が生じる。また、光源数の増加は、均一照明にも有効であるが、設置スペースを多く必要として配置の自由度が制約されるという問題も生じる。
【０００９】
本発明は、上記の事情に鑑みて為されたもので、特に光源の大型化や数量増加を抑えて、消費電力や設置スペースに配慮しつつ、意図通りの照明効率（照明の均一化、照度向上等）を実現することのできるリールユニットセットを提供することを例示的課題とする。
【課題を解決するための手段】
【００１０】
上記の課題を解決するために、本発明の第１側面としてのリールユニットセットは、周面に装飾図柄が配置されて透光性を有するリール部材と、リール部材を回転及び停止させるモータと、モータのモータ軸に固定されてリール部材を保持するリール保持部材と、モータを保持するためにモータに固定されるモータ保持ブラケットと、リール部材を照明光により照明するための照明ユニットと、を有するリールユニットを、リール部材の回転軸を同軸にして回転軸方向に複数備えたリールユニットセットであって、照明ユニットは、区画壁で仕切られて一部が開口された複数の区画室を有して照明光を区画室内で反射及び／又は拡散することにより、照明光を開口を介してリール部材に向けて導くリフレクタと、透光性を有して開口とリール部材との間に配置され、かつ開口側の面に光拡散部が形成されて、開口からの照明光を拡散させつつリール部材へと導くレンズと、リフレクタの各区画室内に照明光を入射する主照明部材及び副照明部材と、主照明部材の正面からの視認を不可能又は困難とするために主照明部材の前方を覆う遮蔽部材と、を有し、主照明部材は、各区画室内に向けて照明光を発光する複数の主発光素子とその複数の主発光素子を表面に実装する主照明基板とを有し、副照明部材は、各区画室内に向けて照明光を発光する複数の副発光素子とその複数の副発光素子を表面に実装する副照明基板とを有し、一のリールユニットにおけるリール部材を照明するための主照明基板が一のリールユニットにおけるリフレクタに取り付けられると共に、一のリールユニットにおけるリール部材を照明するための副照明部材が一のリールユニットに隣接する他のリールユニットにおける遮蔽部材に取り付けられる。
【００１１】
照明ユニットがリフレクタを有しているので、主照明部材及び副照明部材からの照明光を効率よく反射及び／又は拡散してリール部材へと導くことができる。したがって、リール部材の周面に配置された装飾図柄を万遍なく均一に高い照度で照明することができる。光拡散部が形成されたレンズが照明光を拡散させつつリール部材へと導くので、一層照明光の照度の均一化（光量分布の均一化）を実現することができる。その結果、装飾図柄を全体的に万遍なく照明することができる。レンズは、照明部材からの照明光を直接的に、及び／又はリフレクタによる反射、拡散を介して間接的に、光拡散部で拡散する。そして、その拡散光をリール部材に向けて導く機能を発揮する。単に、側面等から光を内部に直接導入し、表面から放射する導光板としての機能を発揮するものではない。
【００１２】
照明ユニットが主照明部材と副照明部材とを有している。したがって、一側方から１つの照明部材によって照明する場合に比較して、充分な光量と照度の均一性を確保することができる。副照明部材は、隣接する他のリールユニットにおける遮蔽部材に取り付けられている。したがって、照明部材の配置の自由度を向上させることができる。照明対象である装飾図柄までの主照明部材からの距離と副照明部材からの距離とを、異なる距離に容易に設定できるので、主照明部材による照明と副照明部材による照明とを各々最適化することができる。例えば、主照明部材から装飾部材までの距離を相対的に短くすることにより、照度アップを図ることができる。一方、副照明部材から装飾部材までの距離を相対的に長くすることにより、照度の均一性向上を図ることができる。
【００１３】
なお、主照明部材は、遮蔽部材によってその前方が覆われているので、遊技者が主照明部材を正面視することができないようになっている。したがって、主照明基板や主発光素子が直接視認されることによる美感の毀損が防止されている。
【００１４】
主発光素子と副発光素子とは、実質的に回転軸方向に沿って互いに逆方向からリフレクタの区画室内に向けて照明光を発光し、かつ、区画室内においてレンズと対向する背面は、主照明部材側に向けて傾斜しており、レンズは、主発光素子と区画室との間に側壁部を有すると共に副発光素子と区画室との間に側壁部を有することなく側方開口を形成し、かつ、側壁部が、主発光素子からの照明光を透過させる機能と副発光素子からの照明光を反射する機能とを有してもよい。
【００１５】
主発光素子と副発光素子とが実質的に回転軸方向に沿って互いに逆方向からリフレクタの区画室内に照明光を入光させるように配置されている。したがって、装飾部材を両方向から万遍なく照明することができる。
【００１６】
リフレクタにおいて、区画室内の背面が主照明部材側に向けて傾斜している。したがって、主照明部材からの照明光を副照明部材からの照明光に比較してより強くリール部材へと導くことができるようになっている。
【００１７】
主発光素子と区画室との間に側壁部が配置されている。そして、その側壁部は透光性を有して主発光素子からの光を透過して区画室内へと導くことができる。一方、主発光素子とは逆の側方に配置された副発光素子からの光の一部は区画室を経由して側壁部の表面に至り、その側壁部表面で反射されて再び区画室内へと導かれる。側壁部が、主発光素子の光も副発光素子の光も効率よく区画室内へと導いているので、装飾図柄の照度アップや拡散効果による照度の均一性向上に貢献している。
【００１８】
リフレクタとレンズと主照明基板との取付け状態において、リフレクタはレンズとも主照明基板とも直接接触しており、レンズとリフレクタとの接触を維持しつつリフレクタと主照明基板とでレンズを挟持した状態でリフレクタに対して主照明基板が固定されており、かつ、リフレクタが、リール保持部材の回転を検出する回転センサを取り付けるための回転センサ取付部を有すると共にモータ保持ブラケットに取り付けられていてもよい。
【００１９】
リフレクタがレンズとも主照明基板とも直接接触しており、レンズとリフレクタとの接触を維持しつつリフレクタと主照明基板とでレンズを挟持した状態でリフレクタに対して主照明基板が固定されているので、リフレクタ、レンズ、主照明基板の相互の位置決めを高精度に実現することができる。また、リフレクタと主照明基板とでレンズを挟持する構造によってレンズの脱落が防止されているので、組立作業やメンテナンス作業が簡易とされている。レンズをリフレクタに固定するための固定ネジ等を必要としないので、部品点数削減や組立工程の削減に寄与している。
【００２０】
リフレクタが回転センサを取り付けるための回転センサ取付部を有しており、モータ保持ブラケットに取り付けられているので、モータ、リフレクタ、回転センサ間の位置決めを高精度とすることができる。ひいては、リール部材周面に配置された装飾図柄の回転停止位置とリフレクタの各区画室との相互の位置精度を向上させることができ、停止した装飾図柄の均一な照明に貢献している。
【００２１】
本発明の第２側面としてのリールユニットセットは、周面に複数の装飾図柄が配置されて透光性を有するリール部材と、リール部材を回転及び停止させるモータと、モータのモータ軸に固定されてリール部材を保持するリール保持部材と、モータを保持するためにモータに固定されるモータ保持ブラケットと、リール部材を照明光により照明するための照明ユニットと、を有するリールユニットを、リール部材の回転軸を同軸にして回転軸方向に複数備え、複数の装飾図柄の１つが予め定められた停止位置で停止可能に構成されたリールユニットセットであって、リール保持部材は、リール部材を保持すべく略円環状に構成された周縁部と、モータ軸に固定されて放射状に延び、モータ軸近傍と周縁部とを接続する複数の放射保持部と、を有して透光材料で形成され、照明ユニットは、照明光を発光する複数の発光素子を有し、リール部材の回転中に照明光を発光した場合に放射保持部を介してリールの背面側に照明光が入光するように構成され、放射保持部を介してリールの背面側に照明光を入光させる発光素子は、周縁部より内周となる位置であって、かつ、予め定められた位置に複数の装飾図柄のいずれが停止した場合であっても放射保持部を避けた位置に配置されている。
【００２２】
本発明の第３側面としてのリールユニットセットは、周面に複数の装飾図柄が配置されて透光性を有するリール部材と、リール部材を回転及び停止させるモータと、モータのモータ軸に固定されてリール部材を保持するリール保持部材と、モータを保持するためにモータに固定されるモータ保持ブラケットと、リール部材を照明光により照明するための照明ユニットと、を有するリールユニットを、リール部材の回転軸を同軸にして回転軸方向に複数備えたリールユニットセットであって、照明ユニットは、区画壁で仕切られて一部が開口された複数の区画室を有して照明光を区画室内で反射及び／又は拡散することにより、照明光を開口を介してリール部材に向けて導くリフレクタと、透光性を有して開口とリール部材との間に配置され、かつ開口側の面に光拡散部が形成されて、開口からの照明光を拡散させつつリール部材へと導くレンズと、リフレクタの各区画室内に照明光を入射する主照明部材及び副照明部材と、主照明部材の正面からの視認を不可能又は困難とするために主照明部材の前方を覆う遮蔽部材と、を有し、主照明部材は、各区画室内に向けて照明光を発光する複数の主発光素子とその複数の主発光素子を表面に実装する主照明基板とを有し、副照明部材は、各区画室内に向けて照明光を発光する複数の副発光素子とその複数の副発光素子を表面に実装する副照明基板とを有し、一のリールユニットにおけるリール部材を照明するための主照明基板が一のリールユニットにおけるリフレクタに取り付けられると共に、一のリールユニットにおけるリール部材を照明するための副照明部材が一のリールユニットに隣接する他のリールユニットにおける遮蔽部材に取り付けられ、リール保持部材は、リール部材を保持すべく略円環状に構成された周縁部と、モータ軸に固定されて放射状に延び、モータ軸近傍と周縁部とを接続する放射保持部と、を有して透光材料で形成され、主発光素子及び/又は副発光素子は、リール部材の回転中に照明光を発光した場合に放射保持部を介してリフレクタ側に照明光が入光するように構成され、放射保持部を介してリフレクタ側に照明光を入光させる発光素子は、周縁部より内周となる位置であって、かつ、装飾図柄が区画室に対応して停止した場合における放射保持部を避けた位置に配置されている。
【００２３】
この発明によれば、上記第１側面のリールユニットセットの効果に加え、更に一層照明光の照度の向上を図ることができる。リール部材の回転中に放射保持部を介してリフレクタ側に照明光を入光させる発光素子が、周縁部より内周となる位置に配置されているので、その発光素子からの照明光が周縁部を介することなく直接リフレクタ側に入光するようになっている。その照明光が周縁部を透過することによって減衰してしまうことが防止され、光量の減衰を最小限に抑えることができる。
【００２４】
また、その発光素子は、装飾図柄が区画室に対応して停止した場合における放射保持部を避けた位置に配置されているので、装飾図柄を遊技者に提示した状態でリール部材が停止した場合に、発光素子からの照明光が放射保持部を介することなく直接リフレクタ側に入光するようになっている。その照明光が放射保持部を透過することによって減衰してしまうことが防止され、光量の減衰を最小限に抑えることができる。
【００２５】
本発明の第４側面としてのリールユニットセットは、周面に複数の装飾図柄が配置されて透光性を有するリール部材と、リール部材を回転及び停止させるモータと、モータのモータ軸に固定されてリール部材を保持するリール保持部材と、モータを保持するためにモータに固定されるモータ保持ブラケットと、リール部材を照明光により照明するための照明ユニットと、を有するリールユニットを、リール部材の回転軸を同軸にして回転軸方向に複数備えたリールユニットセットであって、リール保持部材は、リール部材を保持すべく略円環状に構成された周縁部と、モータ軸に固定されて放射状に延び、モータ軸近傍と周縁部とを接続する放射保持部と、を有して透光材料で形成され、照明ユニットは、照明光を発光する複数の発光素子を有し、複数の発光素子がリールの回転軸方向において、周縁部と重なる位置に配置されており、かつ、リール部材の回転中に照明光を発光した場合に周縁部を介してリフレクタ側に照明光が入光するように構成されている。
【００２６】
本発明の第５側面としてのリールユニットセットは、周面に複数の装飾図柄が配置されて透光性を有するリール部材と、リール部材を回転及び停止させるモータと、モータのモータ軸に固定されてリール部材を保持するリール保持部材と、モータを保持するためにモータに固定されるモータ保持ブラケットと、リール部材を照明光により照明するための照明ユニットと、を有するリールユニットを、リール部材の回転軸を同軸にして回転軸方向に複数備えたリールユニットセットであって、照明ユニットは、区画壁で仕切られて一部が開口された複数の区画室を有して照明光を区画室内で反射及び／又は拡散することにより、照明光を開口を介してリール部材に向けて導くリフレクタと、透光性を有して開口とリール部材との間に配置され、かつ開口側の面に光拡散部が形成されて、開口からの照明光を拡散させつつリール部材へと導くレンズと、リフレクタの各区画室内に照明光を入射する主照明部材及び副照明部材と、主照明部材の正面からの視認を不可能又は困難とするために主照明部材の前方を覆う遮蔽部材と、を有し、主照明部材は、各区画室内に向けて照明光を発光する複数の主発光素子とその複数の主発光素子を表面に実装する主照明基板とを有し、副照明部材は、各区画室内に向けて照明光を発光する複数の副発光素子とその複数の副発光素子を表面に実装する副照明基板とを有し、一のリールユニットにおけるリール部材を照明するための主照明基板が一のリールユニットにおけるリフレクタに取り付けられると共に、一のリールユニットにおけるリール部材を照明するための副照明部材が一のリールユニットに隣接する他のリールユニットにおける遮蔽部材に取り付けられ、リール保持部材は、リール部材を保持すべく略円環状に構成された周縁部と、モータ軸に固定されて放射状に延び、モータ軸近傍と周縁部とを接続する放射保持部と、を有して透光材料で形成され、主発光素子及び／又は副発光素子は、リールの回転軸方向において、周縁部と重なる位置に配置されており、かつ、リール部材の回転中に照明光を発光した場合に周縁部を介してリフレクタ側に照明光が入光するように構成されている。
【００２７】
この発明によれば、上記第１側面のリールユニットセットの効果に加え、更に一層照明光の照度の時間的なバラツキ（ゆらぎ）を防止することができる。主発光素子及び／又は副発光素子が、周縁部より内周となる位置に配置されているので、その発光素子からの照明光が周縁部を介することなく直接リフレクタ側に入光するようになっている。その照明光が周縁部を透過することによって減衰してしまうことが防止され、光量の減衰を最小限に抑えることができる。
【００２８】
また、その発光素子は、装飾図柄が区画室に対応して停止した場合における放射保持部を避けた位置に配置されているので、装飾図柄を遊技者に提示した状態でリール部材が停止した場合に、発光素子からの照明光が放射保持部を介することなく直接リフレクタ側に入光するようになっている。その照明光が放射保持部を透過することによって減衰してしまうことが防止され、光量の減衰を最小限に抑えることができる。
【００２９】
更に、以下のような構成も本発明の要旨に含まれる。すなわち、副発光素子からの照明光が側方開口から区画室内に実質的にすべて入光するように、側方開口のリール回転方向における寸法と、側方開口から副発光素子までの距離と、副発光素子の照明領域とが設定されてもよい。副発光素子からの照明光が側方開口から区画室内に実質的にすべて入光するので、光量のロスを低減することができ、照明光による照度アップに寄与することができる。
【００３０】
主発光素子の照明領域と副発光素子の照明領域とが重複する重複照明領域が、区画室の中央部近傍を含むように、主発光素子と副発光素子とが配置されていてもよい。２つの照明領域が重複することにより、比較的照度の高い重複領域が、区画室の中央部近傍を含むので、回転停止した状態の装飾図柄の略中央近傍を高い照度で照明して目立たせることができる。
【００３１】
上記の重複領域は、必ずしも区画室の中央部近傍を含むように限定される必要はない。停止状態の装飾図柄の中で、目立たせたい部分、すなわち他の部分よりも照度を上げたい部分が区画室の中央部近傍でない場合であっても、その部分を重複領域が含むように構成することができる。例えば、その目立たせたい部分とは、印刷により形成された装飾図柄の中で、光透過率が高い部分として形成された、いわゆる「縮み印刷部」である。
【００３２】
光拡散部には、リール部材の回転方向に沿った複数の光拡散溝が形成されて、開口からの照明光を拡散させつつ前記リール部材へと導くように構成されていてもよい。光拡散溝がリール部材の回転方向に沿って複数形成されているので、高い光拡散効果を発揮して均一な照明を実現することができる。リール部材の回転方向に沿って形成された光拡散溝が、リール回転方向及びリール回転軸方向に照明光を拡散させるが、特にリール回転軸方向に高い光拡散効果を発揮する。したがって、装飾図柄が特に左右方向において高い均一性で照明されることとなる。
【００３３】
本発明の更なる目的又はその他の特徴は、以下添付図面を参照して説明される好ましい実施の形態によって明らかにされるであろう。
【発明の効果】
【００３４】
本発明によれば、遊技機に用いられるリールユニットセットの装飾図柄を、光源の大型化や数量増加を避けつつ万遍なく均一に照明したり、特定の部分の照度を上げたりして意図通りの照明効率を実現することができる。また、装飾図柄の停止位置と照明光源による照明領域との位置精度を向上させることもできる。
【図面の簡単な説明】
【００３５】
【図１】本発明の実施の形態に係るパチンコ機の正面図である。
【図２】本発明の実施の形態に係るパチンコ機の背面図である。
【図３】遊技者に図柄が提示された状態を示す図である。
【図４】図１に示すパチンコ機の遊技盤にリールユニットセットが取り付けられた状態を示す斜視図である。
【図５】リールユニットセットを部分的に分解して示す分解斜視図である。
【図６】リールユニットセットから取付部材、透明カバー、リールユニットの一部を省略して示した斜視図である。
【図７】リールユニットセットを後方から見た斜視図である。
【図８】リールユニットセットが有するリールユニットの外観斜視図であって、（ａ）は右斜め前方から見た図であり、（ｂ）は左斜め前方から見た図である。
【図９】リールユニットの三面図であって、（ａ）は左側面図、（ｂ）は正面図、（ｃ）は右側面図である。
【図１０】リールユニットを右斜め前方から見た分解斜視図である。
【図１１】リールユニットを左斜め後方から見た分解斜視図である。
【図１２】リール部材の展開図である。
【図１３】リールユニットをリール部材部分とモータブラケット部分とに分解した分解斜視図であって、右斜め前方から見た図である。
【図１４】リールユニットをリール部材部分とモータブラケット部分とに分解した分解斜視図であって、左斜め前方から見た図である。
【図１５】リールユニットのリフレクタ近傍における水平断面図である。
【図１６】照明ユニットの全体の構成配置を示す配置図である。
【図１７】レンズの一部及び副照明部材の図示を省略した照明ユニットの図であって、（ａ）は右斜め前方から見た斜視図であり、（ｂ）は右側面図である。
【図１８】レンズの一部及び副照明部材の図示を省略した照明ユニットの図であって、（ａ）は左斜め前方から見た斜視図であり、（ｂ）は左側面図である。
【図１９】リフレクタの外観斜視図であって、（ａ）は右斜め前方から見た図であり、（ｂ）は左斜め前方から見た図である。
【図２０】レンズの外観斜視図であって、（ａ）は前面側を示し、（ｂ）は裏面側を示している。
【図２１】照明部材の外観図であって、（ａ）は主照明部材を左斜め前方から見た図であり、（ｂ）は副照明部材を右斜め前方から見た図である。
【図２２】リールユニットの照明ユニットにおけるリフレクタ近傍を正面から見た模式図である。
【図２３】リールユニットにおける３つの区画室のうち、真ん中の区画室部分を模式的に拡大した拡大図である。
【発明を実施するための形態】
【００３６】
［実施の形態］
＜１．パチンコ機の構成の説明＞
以下、本発明の実施の形態について図面を用いて説明する。図１は、本発明の実施の形態に係る遊技機としてのパチンコ機２の正面図であり、図２は、図１に示すパチンコ機２の背面図である。このパチンコ機２は、遊技機枠ユニット３、遊技盤ユニット５、ガラス１０、発射ユニット（不図示）、球皿１４等を有している。発射ユニットは、１個ずつ遊技球２３を遊技盤ユニット５に構成される遊技領域１６に向けて発射可能に構成されている。
【００３７】
パチンコ機２は、遊技者が後述する発射装置ハンドル１５を操作することによって、遊技領域１６に向けて球が発射ユニットによって発射され、球の流下による遊技が実現される。なお、遊技機は、パチンコ機２の他にパチンコ式スロットマシン（パチスロ）機、スロットマシン、コインゲーム機等のアーケードマシン、各種ゲーム機を概念することができ、要するに、リールの回転及び停止態様により当たりや外れを演出的に提示することのできるあらゆる遊技機が含まれる。
【００３８】
なお、パチンコ機においても、いわゆるデジパチタイプ（１種タイプ）やハネモノタイプ（２種タイプ）のパチンコ機等の種々のパチンコ機が概念できるが、本実施の形態においては、デジパチ遊技（１種遊技、図柄変動遊技ともいう。）を実現するいわゆる１種タイプのパチンコ機について例示説明する。なお、図柄変動遊技については後述する。
【００３９】
パチンコ機２の遊技機枠ユニット３は、後述する遊技盤ユニット５を保持するためのものであり、このパチンコ機２の周囲側面及び前方を囲むように構成されている。遊技機枠ユニット３の内部側には、遊技盤ユニット５の他にも後述する各種制御基板や遊技球用の経路、及び遊技球の発射装置等各種機構部品が配置され、遊技機枠ユニット３によって周囲側面及び前方からのパチンコ機２内部側への不正アクセスが防止されるようになっている。
【００４０】
パチンコ機２の周囲を囲む外枠４、その内側に前方開閉可能にヒンジ２２を介して揺動支持されて遊技盤ユニット５を保持する前枠９、前枠９の前方に前方開閉可能に揺動支持されガラス１０及びその周囲を装飾する装飾部材３２を保持するガラス枠１２、を有して遊技機枠ユニット３が構成される。
【００４１】
ガラス１０は、遊技機枠ユニット３内部側に保持された遊技盤６を前方から遊技者が視認することができるようにするための透明部材である。ガラス１０は、遊技盤６に対して一定距離以上離間して配置された透明板である。ガラス１０は、２枚の透明平板ガラスで形成されてガラス枠１２の裏面側に保持され、遊技盤６との間に遊技球２３が流下する流下空間を形成する機能、遊技者がガラス１０を通して遊技盤６を視認できるように視認性を確保する機能、遊技者が遊技盤６に不正にアクセス（接触）できないように不正アクセスを防止する機能、を発揮する。
【００４２】
球皿１４は、遊技者の持ち球を貯留するために前枠９の前面に配置された皿部材であって、本実施の形態においては上球皿１４ａと下球皿１４ｂとを有している。上球皿１４ａは、球抜き部材１４ｃを有して遊技盤６の下方、すなわちガラス枠１２の下方部分に配置され、下球皿１４ｂは、その上球皿１４ａの更に下方に配置されている。球皿１４には、前枠９に装着された賞球払出装置６０から払い出された遊技球２３が導かれるように構成されている。
【００４３】
発射ユニット（図示せず）は、球送り装置（図示せず）によって球皿１４の一部としての上球皿１４ａから発射位置に払い出された遊技球２３を遊技領域１６の上部に向けて発射（弾球）するためのものである。発射ユニットは、前枠９の下部に取り付けられており、発射位置の遊技球２３を弾球する発射杆、その発射杆を駆動する発射モータ、発射杆を付勢して弾球力を発生させる発射バネを有している。
【００４４】
遊技盤ユニット５は、遊技盤面（遊技盤の表面）６ａ側の略中央に遊技役物としてのセンター役物７が配置された遊技盤６を有しており、その遊技盤面６ａには多数の遊技釘２７も配置されている。センター役物７の中央部近傍には、演出表示装置としてのリールユニットセット１１が配置されている。リールユニットセット１１は３つのリールユニット１８〜２０を有している。センター役物７の中央部には、開口部７ｄが形成されており、その開口部７ｄからリールユニット１８〜２０の一部が露出して遊技者に提示されるようになっている。このリールユニットセット１１は、演出図柄変動（演出図柄回転）により遊技者に当たりや外れ等の演出表示を行い、興趣向上に寄与するものであるが、詳細な構造及び動作については後述する。
【００４５】
遊技盤６は、その表面側に遊技球２３の流下による遊技を実現するための遊技領域１６を構成するための盤状部材であり、遊技盤６を前方から遊技者にとって視認可能となるように遊技機枠ユニット３の一部としての前枠９に保持されている。
【００４６】
遊技盤６の表面には略円形状に周囲を囲むようにレール飾り２６が取り付けられており、レール飾り２６の外レール２６ａが遊技盤に対して立設するように配置されている。そして、レール飾り２６の外レール２６ａによって画定され、外レール２６ａに面した略円形状の領域が遊技領域１６となっている。レール飾り２６の外側には、スピーカ８が取り付けられており、遊技状態等に応じた効果音が出力されるようになっている。
【００４７】
遊技釘２７は、遊技領域１６を流下する遊技球２３と衝突してその流下方向を変更させる流下変更部材であり、多数が遊技領域１６内に配置されている。また、遊技領域１６には、普通入賞口（入賞領域）２８、始動入賞口（入賞領域）２９及び大入賞口（入賞領域）３１等の入球部材及びアウト口３０が配置されている。各入球部材には、入球した遊技球を検出する入賞口センサ２５が設けられている。更に、遊技領域１６には、ゲート３３、風車３４等が配置されており、流下する遊技球２３が各入球部材に流入したり、ゲート３３を通過したり、風車３４を回転させたりすることによって、遊技球２３による流下遊技を楽しむことができるようになっている。
【００４８】
遊技盤６の裏面側には、パチンコ機２における種々の動作制御、表示制御を実行する遊技制御手段５００が備えられている。遊技制御手段５００は、パチンコ機２全体の動作制御を行うメイン制御基板（第１制御手段）１００、メイン制御基板１００からの制御要求信号や情報に基づいてリールユニットセット１１の演出動作制御を行うサブ制御基板（第２制御手段）２００を有している。メイン制御基板１００はメイン制御基板ケース３５内に収納され、サブ制御基板２００はサブ制御基板ケース３６内に収納されて、遊技盤６の裏面側に配置されている。なお、遊技制御手段としては、上記のメイン制御基板１００、サブ制御基板２００の他にも賞球払出装置６０による賞球払出動作を制御する払出制御基板３００、パチンコ機２の動作のための電源供給を制御する電源基板４００等を有しているが、これらの説明については省略する。
【００４９】
また、パチンコ機２の背面には、複数のパチンコ機２が隣接して配置された遊技機島に設けられた遊技球循環装置（図示せず）から供給された遊技球２３を一時的に貯留するための遊技球貯留タンク４０と、遊技球貯留タンク４０からの遊技球２３が流入し、この遊技球２３を１球ずつ通過させる賞球払出装置６０とが設けられている。
【００５０】
賞球払出装置６０から払い出された遊技球２３は、賞球通路を通過して球皿１４に導かれる。この賞球通路には、球皿に複数の遊技球が滞留した満杯状態を検出する満杯検出センサ（不図示）が設けられている。満杯検出センサが満杯状態を検出すると、賞球払出装置６０による遊技球２３の払出制御を制限する処理が実行されるように構成されている。
【００５１】
賞球払出装置６０は、払出制御基板３００によって駆動制御されるように構成されており、各種入賞口への遊技球２３の入球や、カードユニットＣを介した遊技球２３の貸出し要求に応じて、ガラス枠１２に装着された球皿１４に向けて遊技球２３を払い出すように構成されている。
【００５２】
具体的には、各入球部材に遊技球２３が入球すると、入球部材に装着された入賞口センサによって遊技球２３の通過が検知される。この検知信号がメイン制御基板１００に送信され、これを受けてメイン制御基板１００から払出制御基板３００側に所定の払出コマンドが送信される。その結果、賞球払出装置６０によって所定個数の遊技球（賞球）２３が払い出される。また、カードユニットＣを介して遊技者から遊技球の貸出し要求がなされると、この要求信号が払出制御基板３００に送信される。その結果、賞球払出装置６０によって所定個数の遊技球（貸し球）２３が払い出される。
【００５３】
図柄変動遊技においては、始動入賞口２９に遊技球２３が入球すると、３つのリール部材４６がモータ４５によって回転駆動され、その後に３つのリール部材４６が停止して、複数の図柄Ｚのうちのいずれかが、選択的に遊技者に対して提示される。図３は、遊技者に図柄Ｚが提示された状態を示す図である。本実施の形態においては、各リールごとに、各々３個ずつの図柄Ｚが提示され、提示領域Ｒにおいて合計９個の図柄提示が行われる。
【００５４】
図柄Ｚの停止制御は、遊技制御手段５００による所定の抽選結果に基づいて行われる。すなわち、所定の抽選結果が当たりである場合には、図柄提示の５本のラインＬ１〜Ｌ５のうちの少なくともいずれか１本のラインに例えば、「７・７・７」等の所定の組合せの図柄Ｚが提示される。その場合、パチンコ機２は特別遊技状態となり、遊技者に利益が付与される。一方、所定の抽選結果が外れである場合には、５本のラインＬ１〜Ｌ５のいずれにも所定の図柄Ｚの組合せが提示されない。そして、その場合は、遊技者にも利益の付与がされないようになっている。
【００５５】
＜２．リールユニットの構成の説明＞
図４は、パチンコ機２の遊技盤６にリールユニットセット１１が取り付けられた状態を示す斜視図である。図４においては、ルーター加工後の遊技盤６（遊技板ともいう）にリールユニットセット１１のみが取り付けられたものを示し、センター役物７、普通入賞口（入賞領域）２８、始動入賞口（入賞領域）２９及び大入賞口（入賞領域）３１等の入球部材及びアウト口３０、レール飾り２６等の遊技部品を省略している。リールユニットセット１１は、遊技盤６の後方に配置されており、その一部（具体的には、リール周面）が前方から開口部７ｄを介して視認可能となるようになっている。
【００５６】
図５は、リールユニットセット１１を部分的に分解して示す分解斜視図である。リールユニットセット１１は、その前面側に、遊技盤６の裏面に取り付けるための取付部材１１ａ、透光材料で形成されてリールユニット１８〜２０の前方を視認可能に覆う透明カバー１１ｂを有している。その後方に、リールユニットセット１１は、押え部材１１ｃとベースカバー１１ｄとで囲むように、３つのリールユニット１８〜２０を有して構成されている。
【００５７】
取付部材１１ａには上下左右に取付部材を遊技盤裏面に取り付けるための突片部１１ａ１が適宜配置されており、遊技盤面６ａとリールユニットセット１１とが平行になるよう、かつ重量物体であるリールユニットセット１１を確実に支持できるようになっている。また、突片部１１ａ１にはボス１１ａ２が形成されており、遊技盤６に形成された位置決め穴（不図示）に嵌入することで取付部材を遊技盤の所定位置に取付られるようになっている。
【００５８】
なお、取付部材１１ａには前方凹室１１ａ３が全周囲に形成されており、遊技盤６後方に突出配置されるセンター飾り７の電飾部品や可動物との干渉を防止するようになっている。
【００５９】
透明カバー１１ｂには、リールの外周形状よりやや大径のかまぼこ形状に構成されたリール透視窓１１ｂ１が形成されており、光の屈折によるリール周面の視認性低下を抑止するように構成される。なお、リール透視窓部以外には適宜着色・印刷加工を施してもよく、更に透視窓１１ｂ１にあっても、図柄の視認性を妨げない位置に（例えば、リールとリールとの間に）装飾用の印刷を施してもよい。このとき、後述する照明部材（主照明部材５１，副照明部材５２）等からの光が印刷面に漏れるように形成すれば、高い演出効果が期待できる。
【００６０】
押え部材１１ｃは、ベースカバー１１ｄに収容セットされたリールユニット１８〜２０、左端ブラケット４３（詳細は後述）を前方から適正位置に支持するためのものであり、ベースカバー１１ｄにリールユニット１８〜２０、左端ブラケット４３が組み込まれた後に、リールユニット１８〜２０、左端ブラケット４３に形成された位置決め部４１ｂ，４３ａと整合することにより、リールユニット１８〜２０、左端ブラケット４３の前後の移動（及び上下、左右の微少移動）を規制する移動規制部１１ｃ１が各位置決め部４１ｂ、４３ａに対応して形成されている。
【００６１】
なお、本実施の形態では、押え部材１１ｃをベースカバー１１ｄに取り付けるための取付部１１ｃ２は、移動規制部１１ｃ１と異なる位置に設けられているが、移動規制部１１ｃ１と一体的に形成してもよい。
【００６２】
ベースカバー１１ｄは、正面側にリールユニット１８〜２０及び左端ブラケット４３を収容する収容凹室１１ｄ１、押え部材１１ｃを取り付けるための位置決め取付部１１ｄ２、取付部材１１ａに取り付けるためのユニット取付部１１ｄ３が形成されると共に、正面視で収容凹室１１ｄ１の左側）に基板取付部１１ｄ４が設けられている。（図６も参照）
図６は、リールユニットセット１１から取付部材１１ａ、透明カバー１１ｂ、押え部材１１ｃ、リールユニット１８，２０を省略して示した斜視図である。
【００６３】
３つのリールユニット１８〜２０は、各々が有する第１モータブラケット（モータ保持ブラケット）４１がベースカバー１１ｄの凹室内に形成されたスリット４２に挿入されている。そして、押え部材１１ｃの移動規制部１１ｃ１が、前方からリールユニット１８〜２０の前方移動を規制するように保持すると共に、押え部材１１ｃはベースカバー１１ｄに対して固定されている。リールユニット１８〜２０を、ベースカバー１１ｄにも押え部材１１ｃにも固定する必要がないので、リールユニットセット１１の組立工数の削減が可能である。
【００６４】
特に、ベースカバー１１ｄ、押え部材１１ｃを型成型された樹脂により成型することにより、位置決めが正確になると共に、樹脂の弾性により微振動を吸収できるという効果が期待できる。
【００６５】
前方から見て最も左側のリールユニット１８の更に左側には、後述するリールユニット１８用の副照明部材を保持する金属製又は導電性の左端ブラケット４３が、やはり最も左側のスリット４２に挿入されて配置されている。この左端ブラケット４３は金属板で形成されており、例えば、第１モータブラケット４１と実質的に同じ部材（同一形状）が利用されてもよい。
【００６６】
図７は、リールユニットセット１１を後方から見た斜視図である。リールユニットセット１１の背面左側には、リールユニットセット１１用の各種回路基板（リール基板）４４が配置されている。このリール基板４４は、例えば、サブ制御基板２００とリールユニットセット１１とを電気的に中継接続する中継基板や、リール部材４６を回転及び停止させるモータ４５（図１０参照）を駆動するモータドライバ基板を含む。左端のリールユニット１８のモータ４５とリール基板４４との間を遮蔽するように左端ブラケット４３が配置されている。したがって、モータ４５駆動によるリール基板４４へのノイズ混入等の悪影響が金属製又は導電性の左端ブラケット４３によって低減されるようになっている。
【００６７】
なお、ベースカバー１１ｄの背面には、ベースカバー１１ｄの収容凹室１１ｄ１の湾曲形状により生じた略三角状の上部空間に接続配線や回路基板等を収容保持可能とする側面視略逆Ｌ字状の後面カバー１１ｅが取り付けられ、背面側に遊技盤と平行な面を形成している。なお、本実施の形態では、後面カバー１１ｅの上面は大きく開口しており、放熱効果を妨げないように配慮している。
【００６８】
図８は、このリールユニットセット１１が有するリールユニット１９の外観斜視図であって、（ａ）は右斜め前方から見た図であり、（ｂ）は左斜め前方から見た図である。図９は、リールユニット１９の三面図であって、（ａ）は左側面図、（ｂ）は正面図、（ｃ）は右側面図である。図１０は、リールユニット１９を右斜め前方から見た分解斜視図である。図１１は、リールユニット１９を左斜め後方から見た分解斜視図である。本実施の形態においては、リールユニットセット１１は、３つのリールユニット１８〜２０を、その回転軸Ｘを同軸とするように有している。３つのリールユニット１８〜２０は、回転軸Ｘ方向に並んで配列されている。なお、３つのリールユニット１８〜２０は、後述する副照明部材の配置に関して一部相違がある以外は略共通構成であるので、以下、リールユニット１９について説明する。なお、相違点については追って詳細に説明する。
【００６９】
リールユニット１９は、リール部材４６、モータ４５、リール保持部材４７、第１モータブラケット４１、第２モータブラケット（モータ保持ブラケット）４１ａ、照明ユニット４８を有して構成される。そして、照明ユニット４８は、主照明ユニット４８０（リフレクタ４９、レンズ５０、主照明部材５１）及び副照明部材５２を有して構成される。本実施の形態においては、第１モータブラケット４１及び第２モータブラケット４１ａが、モータ保持ブラケットを構成するが、もちろん、モータ保持ブラケットを第１と第２とに分けなくてもよい。しかしながら、これらを別構成にすることにより、リールの左右幅に対するモータの左右位置を整合させるために行われる深絞り加工の絞り幅を少なく構成することができ、寸法誤差の低減や加工時間の短縮等を図ることができる。
【００７０】
リール部材４６は、透光性を有する略円環状（ドーナツ状）の部材であって、樹脂フィルム等を材料として形成される。リール部材４６の周面４６ａには、図１２にその展開図を例示するような図柄（装飾図柄）Ｚが複数形成されている。図１２においては、３つのリールユニット１８〜２０に対応するように、３つの周面４６ａが示されている。
【００７１】
なお、本実施の形態では、リールの図柄以外の部分については、白色或いは着色インクによる印刷が施されており、光の透過率が低くなるようになっている。また、図柄Ｚについては、輪郭や主要部が適宜透光するように、透過性の高い有色インクや縮み印刷等がなされている。（詳細は後述する。）
モータ４５は、リール部材４６を回転及び停止させるための駆動手段であり、例えば、ステッピングモータが使用される。モータ４５のモータ軸には、リール保持部材４７が圧入又はネジ固定、キー固定等により固定されている（図１０及び図１１参照）。リール保持部材４７は、リール部材４６を保持するための基本となる部材である。リール保持部材４７は、略円環状に構成された周縁部４７ａとモータ軸から等間隔で放射状に延びてモータ軸近傍と周縁部４７ａとを接続する放射保持部４７ｂとを有して透光材料で形成されている。
【００７２】
なお、リール部材４６とリール保持部材４７とを一体成型し、周面に熱転写等により図柄を印刷して構成してもよい。
【００７３】
本実施の形態においては、放射保持部４７ｂは、リール保持部材４７の左側のみに配置されている。そして、リール部材４６を介してリール部材４６の右側端部にリール部材４６と同一外径のリール補助部材４７’が設けられているが、もちろんそれに限定されない。リール部材４６は、周縁部４７ａに巻き付けられるように配置され、円周を形成する。この放射保持部４７ｂには、検出片部材５３が固定される。検出片部材５３は、突設される検出片部５３ａを有しており、その検出片部５３ａが回転センサＳＥによって検出されることにより、リール部材４６の回転の有無が検出されるようになっている。
【００７４】
なお、検出片部材５３は、検出片部５３ａが形成された位置以外に図示のように９０度ピッチで等間隔にベース部５３ｂが形成されてリール回転時の加重が均等にかかるように構成されている。
【００７５】
第１モータブラケット４１及び第２モータブラケット４１ａは、モータ４５を保持するためにモータ４５に固定される金属板である。
【００７６】
第１モータブラケット４１は、前述したリールユニット１９の位置決め（特に前方）を図る位置決め部４１ｂ、上下及び背面にベースカバー１１ｄに形成された溝４２に整合案内される端面部４１ｃ、第２モータブラケット４１ａの水平載置位置を正面視左側にオフセットするための膨出部４１ｄが形成されており、膨出部４１ｄには第２モータブラケット４１ａを固定する孔４１ｄ１が形成されている。
【００７７】
第２モータブラケット４１ａはモータベースとして機能させるものであり、金属板に穴あけ加工を施した後、モータ４５を囲うように折り曲げ形成して図示のように構成されている。
【００７８】
第２モータブラケット４１ａには、平板状のモータ載置面４１ａ１、後述する遮蔽部材５４を固定する遮蔽部材固定部４１ａ２、照明ユニット４８を取り付ける照明ユニット取付部４１ａ３、ワイヤークランプを支持可能な開口部４１ａ４がそれぞれ図示の位置に形成されている。また、モータ載置面４１ａ１にはモータ４５と第１モータブラケット４１とを共締めするための固定孔４１ａ１１が前述した第１モータブラケット４１の孔４１ｄ１と整合する位置に設けられている。なお、開口部４１ａ４とワイヤークランプ（不図示）によりモータ４５の配線や、後述する回転センサＳＥからの配線を結束して配線とリールとの干渉を簡便に防止できる。第２モータブラケット４１ａの遮蔽部材固定部４１ａ２には、遮蔽部材５４が固定されている。
【００７９】
遮蔽部材５４は、正面視右側に形成されて副照明部材５２を第２モータブラケット４１ａと平行に取り付ける副照明取付面部５４ｂ、前面側に左右方向に幅広とされた遮光壁５４ａを有しており、この遮光壁５４ａがリール保持部材４７の周縁部４７ａと協働して後述する主照明部材５１や副照明部材５２が前方から遊技者に視認されてしまうのを防止している。したがって、主照明部材５１及び副照明部材５２は、遮光壁５４ａの後方位置に配置されている。
【００８０】
図１３及び図１４は、リールユニット１９をリール部材４６部分とモータブラケット（４１，４１ａ）部分とに分解した分解斜視図である。図１３はリールユニット１９を右斜め前方から見た図であり、図１４は左斜め前方から見た図である。前述のとおり、リールユニット１９において、モータ４５のモータ軸にリール保持部材４７が固定され、第２モータブラケット４１ａに遮光部材５４及び照明ユニット４８が取り付けられている。図１５は、リールユニット１９のリフレクタ４９近傍における水平断面図である。図１５において、主照明部材５１、副照明部材５１、遮蔽部材５４をハッチングで示している。
【００８１】
遮蔽部材５４の正面視右側に形成された副照明取付面部５４ｂには副照明部材５２が取り付けられている。詳細は後述するが、副照明部材５２は、回路基板５２ａと複数のＬＥＤ５２ｂとを有しており、各ＬＥＤ５２ｂは光源を側方に向けるように回路基板５２ａに設けられている。なお、副照明部材５２は、リールユニット１９でなく、右側に隣接するリールユニット２０の図柄Ｚを照明するためのものである。また、リフレクタ４９を介してリールユニット１９の図柄Ｚを照明するための主照明部材５１が遮蔽部材５４の左面側に位置するように配置されている。
【００８２】
リールユニット１８は、リールユニットセット１１の中で最も左側のリールユニット１８であるので、その更に左側にリールユニットがない。したがって、リールユニット１８用の副照明部材５２は、左端ブラケット４３に取り付けられている。また、リールユニット２０は、リールユニットセット１１の中で最も右側のリールユニット１８であるので、その更に右側にリールユニットがない。したがって、リールユニット２０は、副照明部材５２を有していない。
【００８３】
図１６は、照明ユニット４８の全体の構成配置を示す配置図である。この図においては、リールユニット１９の主照明ユニット４８０（リフレクタ４９、レンズ５０、主照明部材５１）とリールユニット１８に取り付けられたリールユニット１９用の副照明部材５２とが図示されている。図１７は、レンズ５０の一部及び副照明部材５２の図示を省略した照明ユニット４８の図であって、（ａ）は右斜め前方から見た斜視図であり、（ｂ）は右側面図である。図１８は、レンズ５０の一部及び副照明部材５２の図示を省略した照明ユニット４８の図であって、（ａ）は左斜め前方から見た斜視図であり、（ｂ）は左側面図である。図１７及び図１８においては、３つの区画室４９ａに各々対応するレンズ５０のうち最上部のレンズ５０の図示が省略されている。
【００８４】
主照明ユニット４８０は、リフレクタ４９を基体として、レンズ５０、主照明部材５１、回転センサＳＥが一体的に組み付けられることで構成され、第２モータブラケット４１ａの照明ユニット取付部４１ａ３に取り付けられることで、リール部材４６の内周側、すなわち、リール保持部材４７の内部空間に位置するように配置される。
【００８５】
より具体的には、レンズ５０を挟持するようにリフレクタ４９と主照明部材５１とが組み付けられる。そして、レンズ５０からの照明光がリール部材周面４６ａの図柄Ｚを後方から前方へと照明するようになっている。詳細は後述するが、リフレクタ４９には、３つの区画室が形成されており、各々の区画室が、提示領域Ｒ内に停止した場合の上下３つの図柄Ｚの停止位置に対応している。
【００８６】
図１９は、リフレクタ４９の外観斜視図である。（ａ）は右斜め前方から見た図であり、（ｂ）は左斜め前方から見た図である。リフレクタ４９は、リールユニット１９が有する主照明部材５１及びリールユニット１８が有するリールユニット１９用の副照明部材５２からの照明光を、反射／拡散させてリール部材４６へと導き、図柄Ｚを背面側から照明するためのものである。リフレクタ４９は、リール部材４６の内部空間であって、遊技者に提示する図柄Ｚの後方に配置され、リール部材４６の形状に合わせて上下に円弧形状を呈している。
【００８７】
リフレクタ４９は、光の反射効率を高めるために、本実施の形態においては白色とされている。リフレクタ４９は、３つの区画室４９ａを有している。各区画室４９ａは、リブ４９ｂによって上下方向に分割されている。区画室４９ａの左右方向は主照明部材５１及び副照明部材５２からの照明光を区画室４９ａ内に導くために、側方開口４９ｃとされている。区画室４９ａの前方は、照明光をリール部材４６に向けて導くために開口４９ｇとされている。この開口４９ｇにレンズ５０が取り付けられる。
【００８８】
リブ４９ｂは、略台形状の断面を有しており、遮光壁及びレンズの支持部として機能している。すなわち、１つの区画室４９ａ内に入光した照明光が隣接する区画室４９ａへの漏洩するのを防止している。しかしながら、リフレクタ４９の前方に配置されるレンズ５０の後面側との間に、僅かな隙間が形成されるように、一部が一段低く形成されている（段差部４９ｄ）。これは、区画室４９ａ同士を完全に遮光してしまうと、リブ４９ｂの影が前方に投影されて遊技者に視認されてしまうからである。リブ４９ｂの影の発生を防止すべく、若干の光の漏洩を許容する趣旨でリブ４９ｂの一部に段差部４９ｄを形成している。
【００８９】
区画室４９ａの後面４９ｅは、右方向（すなわち、主照明部材５１方向）に向けて下がり傾斜している。下がり傾斜とは、すなわち、全体として後方に傾斜していることを意味し、より正確にはリールの回転軸Ｘに近づくように傾斜している。それにより、主照明部材５１からの照明光の減衰量に併せて均一的な光量が前方、すなわちレンズ５０方向に反射されるようになっており、副照明部材５２側の光はよりレンズに近い位置で前方に反射するようになる。
【００９０】
このように本実施例では、区画室４９ａの形状は、主照明部材５１からの光を効率的に前方に照射することを主眼に形成されている。
【００９１】
リフレクタ４９は、更に回転センサ取付部４９ｆを有している。回転センサＳＥは、リール部材４６の回転の有無及び回転角度位置を検出するためのもので、検出片部５３ａの通過を検出する。したがって、回転センサＳＥの取付位置精度は、遊技者に提示する図柄Ｚの停止位置精度にとって重要なファクターとなる。本実施の形態においては、回転センサＳＥを取り付ける回転センサ取付部４９ｆがリフレクタ４９に形成されているので、図柄Ｚが停止する位置とリフレクタ４９の各区画室４９ａとの位置関係を高精度なものとすることができる。したがって、図柄Ｚに対して位置制度のよい照明領域を設定することができ、均一照明にも寄与することができる。なお、リフレクタ４９が第２モータブラケット４１ａに取り付けられているので、モータ４５、リフレクタ４９、回転センサＳＥ間の位置精度を高精度なものとすることができる。
【００９２】
図２０は、レンズ５０の外観斜視図である。（ａ）は前面側を示し、（ｂ）は裏面側を示している。レンズ５０は、開口４９ｇとリール部材４６との間に配置され、透光性を有して区画室４９ａからの照明光をリール部材４６へと導いている。レンズ５０の裏面には、光拡散部として機能する凹凸溝５０ａが左右傾斜面状に形成されている。この凹凸溝５０ａは、上下方向（すなわち、リールの回転方向）に沿って所定ピッチで溝が形成されたものであって、照明光をリール部材４６側へ導く際に拡散（特に、左右方向へ拡散）する機能を発揮する。より具体的には、主照明部材５１から直接レンズに到達した光は凹凸溝５０ａの正面視右側の傾斜面から入光し、副照明部材５２から直接レンズに到達した光は凹凸溝５０ａの正面視左側の傾斜面から入光する。更に、リフレクタから反射した光は左右の傾斜面からレンズに入光するため、各傾斜面に対し２方向からの光が効率的にレンズに屈折した状態で入光し、レンズ内で乱反射することになる。
【００９３】
したがって、主照明部材５１や副照明部材５２からの照明光は、レンズ５０を介することによって万遍なく図柄Ｚに照射されることとなる。
【００９４】
なお、光拡散部は、本実施の形態のように上下方向に沿って形成された凹凸溝に限定されるものではない。照明光を拡散する機能を発揮する各種構成を含む趣旨であり、例えば、左右方向の凹凸溝、すりガラス状の粗面、レンズ５０の乳白色化等も光拡散部として機能し得る。
【００９５】
レンズ５０は、リフレクタ４９の３つの区画室４９ａに各々対応して、１つのリールユニット１９に対して３つ取り付けられている。レンズ５０は、リフレクタ４９に固定されるのでなく、リフレクタ４９と主照明部材５１を構成する主照明基板５１ｂとによって挟持される構造となっている。具体的には、レンズ５０の裏面左側上下端に形成されたフック５０ｂがリフレクタ４９の係合部４９ｈに係合され、レンズ５０の右側に形成されたボス５０ｃが主照明基板５１ｂの位置決め孔５１ｄに挿入されている。それにより、主照明基板５１ｂをリフレクタ４９にネジ固定するだけで、レンズ５０の取付が完了する。したがって、組立作業が非常に簡易となる。また、リフレクタ４９がレンズ５０とも主照明基板５１ｂとも直接接触しているので、これら３つの部材の相互位置精度を向上させることができる。しかもリフレクタ４９は、遮光部材５４を介して第２モータブラケット４１ａに取り付けられているので、リフレクタ４９、レンズ５０、主制御基板５１ｂ、モータ４５相互の位置精度を向上させることができる。
【００９６】
レンズ５０の右側面には、側壁部５０ｄが後方に突設されている。この側壁部５０ｄは透光性を有しており、かつ、内面５０ｅは光反射機能を有している。そして、リフレクタ４９の右側（すなわち、主照明部材５１側）の側方開口４９ｃを塞いでいる。側壁部５０ｄは透光性を有しているので、主照明部材５１からの照明光は、側壁部５０ｄを透過してリフレクタ４９の区画室４９ａ内部に入光するようになっている。
【００９７】
一方、レンズ５０の左側面には側壁部が形成されておらず、リフレクタ４９の左側の側方開口４９ｃは塞がれていない。したがって、リールユニット１８側の副照明部材５２からの照明光は、そのまま区画室４９ａ内部へと入光する。副照明部材５２からの照明光は、側壁部５０ｄの内面５０ｅによって反射されるようになっているので、側壁部５０ｄを透過して区画室４９ａ外へと出射することが防止され、効率よく図柄Ｚの照明に用いられている。
【００９８】
なお、レンズ５０の外形形状における各稜線や頂点には、面取り加工やＲ形状化が殆どされておらず、なるべく角のままとされている。もちろん微視的には多少の面取やＲ、ダレ等が存在する場合があるが、それらは極力小さくされている。それにより、稜線や頂点における照度の低下や影の発生を防止しており、その結果、図柄Ｚの周縁近傍に亘ってまで均一な照明が実現されている。
【００９９】
図２１は、照明部材５１，５２の外観図であって、（ａ）は主照明部材５１を左斜め前方から見た図であり、（ｂ）は副照明部材５２を右斜め前方から見た図である。主照明部材５１は、主照明基板５１ｂの左側表面５１ａに複数のＬＥＤ（主発光素子）５１ｃを実装して構成される。ＬＥＤ５１ｃは、本実施の形態においては、各区画室４９ａに対応して２個ずつ、合計６個が実装されている。また、左側表面５１ａは高反射率面とされ、本実施の形態においては、白色レジストが形成されている。
【０１００】
副照明部材５２は、主照明基板５２ｂの右側表面５２ａに複数のＬＥＤ（副発光素子）５２ｃを実装して構成される。ＬＥＤ５２ｃは、本実施の形態においては、各区画室４９ａに対応して２個ずつ、合計６個が実装されている。また、右側表面５２ａは高反射率面とされ、本実施の形態においては、白色レジストが形成されている。
【０１０１】
ＬＥＤ５１ｃ及びＬＥＤ５２ｃは、区画室４９ａの形状に合わせて、上下に円弧形状となるような位置に配置されている。そして、ＬＥＤ５１ｃ及びＬＥＤ５２ｃは、回転軸Ｘ方向において、リール保持部材４７の周縁部４７ａと重複しない位置に配置されている。より具体的には、ＬＥＤ５１ｃ及びＬＥＤ５２ｃは、周縁部４７ａよりも内周側の位置に配置されている。したがって、ＬＥＤ５１ｃ及びＬＥＤ５２ｃからの照明光は、周縁部４７ａを透過して減衰したりすることなく、効率よく区画室４９ａ内へと入光する。
【０１０２】
更に、本実施の形態においては、ＬＥＤ５２ｃ側にリール保持部材４７の放射保持部４７ｂが配置されている。図柄Ｚが各区画室４９ａに対応する位置で、遊技者に提示されるように停止した場合に、６個のＬＥＤ５２ｃのいずれもが、回転軸Ｘ方向において放射保持部４７ｂと重複しないように配置されている。そのため、図柄Ｚが停止した際に、ＬＥＤ５２ｃからの照明光が放射保持部４７ｂを透過して減衰したりすることなく、効率よく区画室４９ａ内へと入光する。
【０１０３】
なお、リール保持部材４７の周縁部４７ａを内径方向に大きく形成して回転軸Ｘ方向において、ＬＥＤ５２ｃと周縁部４７ａとを重複する位置に配置することも考えられる。このように構成すれば、ＬＥＤ５２ｃからの照明光が周縁部４７ａを透過して区画室４９ａへと入光することとなるが、放射保持部４７ｂが周縁部４７の内側と連結することになるためリール保持部材４７の回転中においてもＬＥＤ５２ｃからの照明光が放射保持部４７ｂを透過することがない。したがって、照明光の減衰というデメリットはあるものの、リール回転中の光量のゆらぎやバラツキの一層の低減に寄与することができる。また、放射保持部４７ｂとＬＥＤ５２ｃとの位置関係などの考慮を行わずに設計可能となる。
【０１０４】
＜３．照明ユニットの構成の説明＞
図２２は、リールユニット１９の照明ユニット４８におけるリフレクタ４９近傍を正面から見た模式図である。図２２においては、要部構成のみを図示しており、一部を省略している。図２２において、ＬＥＤ５１ｃ及びＬＥＤ５２ｃからの照明光の照射範囲Ｏを破線で示している。照射範囲Ｏは、実質的にＬＥＤからの光量分布のすべてを含む領域である。本実施の形態においては、各ＬＥＤ５１ｃ，５２ｃの照射範囲Ｏは、すべてリフレクタ４９の各区画室４９ａに入光するようにＬＥＤの位置やリフレクタ４９からの距離が設定されている。それにより、光量を無駄にすることなく、多くの照明光を図柄Ｚの照明に利用している。
【０１０５】
図２２に示すように、主照明部材５１とリフレクタ４９の右端部との距離と副照明部材５２とリフレクタ４９の左端部との距離は異なっている。これは、いずれのＬＥＤの光をより強くリフレクタ４９内に入光させるかに応じて、また、各ＬＥＤの照射範囲の大小に応じて適宜設定されるものである。本実施の形態においては、主照明部材５１の方が、副照明部材５２よりもリフレクタ４９に近い位置に配置されている。
【０１０６】
図２３は、リールユニット１９における３つの区画室４９ａのうち、真ん中の区画室４９ａ部分を模式的に拡大した拡大図である。ＬＥＤ５１ｃとＬＥＤ５２ｃとは、上下方向において異なる位置に配置されている。すなわち、水平面上において、ＬＥＤ５２ｃは上下２つのＬＥＤ５１ｃの間に配置されている。それにより、区画室４９ａ内での上下位置における光量のバラツキが低減されている。また、ＬＥＤ５１ｃからの照明光の照射範囲ＯとＬＥＤ５２ｃからの照明光の照射範囲Ｏとが、区画室４９ａの略中央部近傍において重複しており、重複照明領域Ｗを形成している。この重複照明領域Ｗは、両側からのＬＥＤ光が重複する部分であって、他の部分よりも比較的照度が高くなる部分である。
【０１０７】
区画室４９ａの略中央部近傍に重複照明領域Ｗが設定されることで、停止した状態の図柄Ｚの略中央近傍を周囲よりも比較的明るく照明することができる。もちろん、この重複照明領域Ｗを中央部近傍でなく、適宜他の位置に設定することも可能である。また、図柄Ｚにおいては、図柄の一部を特に目立たせたいような場合に、その部分の透過率が他の部分よりも高くなるように、いわゆる縮み印刷が施される場合がある。この縮み印刷の部分が、重複照明領域Ｗに含まれるように、ＬＥＤ５１ｃ，５２ｃの配置を設定すれば、図柄Ｚのうち縮印刷部近傍を明るく目立たせることができる。
【０１０８】
＜４．照明ユニットの発光制御の説明＞
以上、リールユニットセット１１について説明したが、本発明の主体となっている照明ユニット４８についての制御を簡潔に説明する。
【０１０９】
照明ユニット４８はリールユニット１８〜２０、特に図柄Ｚを明るく照明することが第一の目的であるが、本実施の形態では、これ以外にパチンコ機２における予告演出や大当たり中等の演出効果を図る装置としても機能している。
【０１１０】
例えば、図柄Ｚの回転変動中や回転開始前に照明ユニット４８の発光色を信頼度に応じて表示する。より具体的には、当該変動で遊技制御手段５００による所定の抽選結果が当たりである場合には、発光色を７色に時系列的に変化させ、図柄Ｚがリーチ態様となる場合には発光色を青色や黄色に変化させ、今後行われる図柄変動が当たりとなる期待感の高いものである場合には、黄色や緑色等に発光色を変化させる制御を行うことで、遊技者に信頼度を示唆する。
【０１１１】
また、大当たり中の演出として、ラウンド間には照明ユニット４８を点滅表示させ、特別遊技の進行に応じて、発光色を変化させるような制御を行うこともできる。特に本実施の形態の照明ユニット４８では、各図柄Ｚ間について図柄Ｚごとに区画照明が可能とされている上に、区画間に影を構築し難い配慮がなされているので、列ごと（上部２灯、中央２灯、下部２灯）のＬＥＤ５１ｃ，５２ｃを図柄Ｚの回転変動に合せて段階的にかつ上方から下方に流れるように発色を変化させることで、非常に見栄えの良い電飾演出を実現することが可能となっている。また、左右の照明色を異なるように発色させて、上下だけでなく、左右へのグラデーション演出を実行することも可能である。
【０１１２】
なお、照明ユニット４８の発光制御については、上記したものに限らず一般的にバックライト演出と言われる各種のランプ演出を採用することができる。
【０１１３】
以上、本発明の好ましい実施の形態を説明したが実施の形態における構成のポイントを以下に列挙する。
【０１１４】
本実施の形態では、リフレクタ４９、レンズ５０、主照明部材５１は、一体的に組み付けられて第２モータブラケット４１ａに取り付けられている。その第２モータブラケット４１ａがモータ４５に取り付けられているので、第２モータブラケット４１ａを介してモータ４５とリフレクタ４９、レンズ５０、主照明部材５１との高精度な位置決めが実現している。
【０１１５】
本実施の形態においては、回転センサＳＥを取り付ける回転センサ取付部４９ｆがリフレクタ４９に形成されているので、図柄Ｚが停止する位置とリフレクタ４９の各区画室４９ａとの位置関係を高精度なものとすることができる。したがって、図柄Ｚに対して位置制度のよい照明領域を設定することができ、均一照明にも寄与することができる。なお、リフレクタ４９が第２モータブラケット４１ａに取り付けられているので、モータ４５、リフレクタ４９、回転センサＳＥ間の位置精度を高精度なものとすることができる。
【０１１６】
本実施の形態においては、主照明基板５１ｂをリフレクタ４９にネジ固定するだけで、レンズ５０の取付が完了するようになっているので、組立作業が非常に簡易となる。また、リフレクタ４９がレンズ５０とも主照明基板５１ｂとも直接接触しているので、これら３つの部材の相互位置精度を向上させることができる。しかもリフレクタ４９は、遮光部材５４を介して第２モータブラケット４１ａに取り付けられているので、リフレクタ４９、レンズ５０、主制御基板５１ｂ、モータ４５相互の位置精度を向上させることができる。
【０１１７】
本実施の形態においては、主照明基板５１ｂからの光を効率的に前方照射するような区画室４９ａの形状設定がなされているので、一体組み付けされる主照明ユニット４８０による中心的な照明光と、副照明部材５２からの補完的な照明光とでバランスの良い照明ユニットが実現可能となっている。
【０１１８】
本実施の形態においては、図柄Ｚが各区画室４９ａに対応する位置で、遊技者に提示されるように停止した場合に、６個のＬＥＤ５２ｃのいずれもが、回転軸Ｘ方向において放射保持部４７ｂと重複しないように配置されているので、図柄Ｚが停止した際に、ＬＥＤ５２ｃからの照明光が放射保持部４７ｂを透過して減衰したりすることなく、効率よく区画室４９ａ内へと入光する。
【０１１９】
以上、本発明の好ましい実施の形態を説明したが、以下では、実施例中で説明しなかった部分的変更例について列挙説明する。
【０１２０】
本実施の形態では、主照明部材５１、副照明部材５２のＬＥＤ５１ｃ，５２ｃの高さ位置を水平面上において異なる高さ位置とし、ＬＥＤ５１ｃとＬＥＤ５２ｃとに、相互に照度を補完し合う役割を付与した。それにより、ＬＥＤの総数量低減に寄与したが、もちろん、ＬＥＤ５１ｃ，５２ｃを同じ高さに配置することも可能である。ＬＥＤ５１ｃ，５２ｃを上下方向において同位置に配置することにより、図柄Ｚの照明強度が上下に波打つような演出を実現することができ、照明強度のゆらぎを積極的に利用した斬新な演出を可能とする。
【０１２１】
本実施の形態では、主照明部材５１の回路基板の左側表面５１ａ（図２１（ａ）参照）、すなわち、リールユニット１９のリフレクタ４９を向く面、及び副照明部材５２の回路基板の右側表面５２ａ（図２１（ｂ）参照）、すなわち、リールユニット２０のリフレクタ４９を向く面を白色レジスト加工により高反射率面としたが、高反射率面は、白色シルク印刷を全体的に施すことで形成することもできる。この場合には、部品番号表示等は反対面側に表示するか、抜き文字により表示すればよい。これにより比較的安価で高反射率面を形成することができる。
【０１２２】
本実施の形態では、パチンコ機に搭載した例を示したが、スロットマシンやメダル遊技機の演出装置としてリールユニットセットを用いた遊技機に採用することも可能である。
【０１２３】
以上、本発明の好ましい実施の形態を説明したが、本明細書で提示した実施の形態の一部を適宜選択取捨してもよいことは勿論のこと、本発明はこれらに限定されるものではなく、その要旨の範囲内で様々な変形や変更が可能である。
【符号の説明】
【０１２４】
Ｃ：カードユニット
Ｌ１〜Ｌ５：ライン
Ｏ：照射範囲
Ｒ：提示領域
ＳＥ：回転センサ
Ｘ：回転軸
Ｗ：重複照明領域
Ｚ：図柄（装飾図柄）
２：パチンコ機（遊技機）
３：遊技機枠ユニット
４：外枠
５：遊技盤ユニット
６：遊技盤
６ａ：遊技盤面（遊技盤の表面）
７：センター役物
７ｄ：開口部
８：スピーカ
９：前枠
１０：ガラス
１１：リールユニットセット（演出表示装置）
１１ａ：取付部材
１１ａ１：突片部
１１ａ２：ボス
１１ａ３：前方凹室
１１ｂ：透明カバー
１１ｂ１：透視窓
１１ｃ：押え部材
１１ｃ１：移動規制部
１１ｃ２：取付部
１１ｄ：ベースカバー
１１ｄ１：収納凹室
１１ｄ２：位置決め取付部
１１ｄ３：ユニット取付部
１１ｄ４：基板取付部
１１ｅ：後面カバー
１２：ガラス枠
１４：球皿
１４ａ：上球皿
１４ｂ：下球皿
１４ｃ：球抜き部材
１５：発射装置ハンドル
１６：遊技領域
１７：特別図柄
１８〜２０：リールユニット
２２：ヒンジ
２３：遊技球
２６：レール飾り
２６ａ：外レール
２７：遊技釘
２８：普通入賞口（入賞領域）
２９：始動入賞口（入賞領域）
３０：アウト口
３１：大入賞口（入賞領域）
３２：装飾部材
３３：ゲート
３４：風車
３５：メイン制御基板ケース
３６：サブ制御基板ケース
４０：遊技球貯留タンク
４１：第１モータブラケット（モータ保持ブラケット）
４１ａ：第２モータブラケット（モータ保持ブラケット）
４１ａ１：モータ載置面
４１ａ１１：固定孔
４１ａ２：遮蔽部材固定部
４１ａ３：照明ユニット取付部
４１ａ４：開口部
４１ｂ：位置決め部
４１ｄ１：孔
４２：スリット
４３：左端ブラケット
４３ａ：位置決め部
４４：リール基板
４５：モータ
４６：リール部材
４６ａ：周面
４７：リール保持部材
４７’リール補助部材
４７ａ：周縁部
４７ｂ：放射保持部
４８：照明ユニット
４９：リフレクタ
４９ａ：区画室
４９ｂ：リブ
４９ｃ：側方開口
４９ｄ：段差部
４９ｅ：後面
４９ｆ：回転センサ取付部
４９ｇ：開口
４９ｈ：係合部
５０：レンズ
５０ａ：凹凸溝（光拡散部）
５０ｂ：フック
５０ｃ：ボス
５０ｄ：側壁部
５０ｅ：内面
５１：主照明部材
５１ａ：左側表面
５１ｂ：主照明基板
５１ｃ：ＬＥＤ（主発光素子）
５１ｄ：位置決め孔
５２：副照明部材
５２ａ：右側表面
５２ｂ：副照明基板
５２ｃ：ＬＥＤ（副発光素子）
５３：検出片部材
５３ａ：検出片部
５３ｂ：ベース部
５４：遮蔽部材
５４ａ：遮光壁
５４ｂ：副照明取付面部
５５：ビス
６０：賞球払出装置
１００：メイン制御基板（第１制御手段）
２００：サブ制御基板（第２制御手段）
３００：払出制御基板
４００：電源基板
４８０：主照明ユニット
５００：遊技制御手段
【図１】
2012090696.tif 000003
【図２】
2012090696.tif 000004
【図３】
2012090696.tif 000005
【図４】
2012090696.tif 000006
【図５】
2012090696.tif 000007
【図６】
2012090696.tif 000008
【図７】
2012090696.tif 000009
【図８】
2012090696.tif 000010
【図９】
2012090696.tif 000011
【図１０】
2012090696.tif 000012
【図１１】
2012090696.tif 000013
【図１２】
2012090696.tif 000014
【図１３】
2012090696.tif 000015
【図１４】
2012090696.tif 000016
【図１５】
2012090696.tif 000017
【図１６】
2012090696.tif 000018
【図１７】
2012090696.tif 000019
【図１８】
2012090696.tif 000020
【図１９】
2012090696.tif 000021
【図２０】
2012090696.tif 000022
【図２１】
2012090696.tif 000023
【図２２】
2012090696.tif 000024
【図２３】
2012090696.tif 000025